(57)【特許請求の範囲】
【請求項１】
１又は複数の遊技機を備えた各遊技機群にそれぞれ設置される呼出装置において、
前記遊技機群は、複数の遊技機が並設されて列をなしており、
前記遊技機群の列方向の端部において、当該列方向にほぼ直交するように配された妻板を有し、
要求手段と、制御装置と、表示装置とを有し、
要求手段は、各遊技機に対応する位置に設けられ、要求信号を送信可能なものであり、
制御装置は、各要求手段からの要求信号を受信し、当該要求信号に基づいて、少なくとも遊技機群及び／又は遊技機を特定可能な情報と、要求された順位の情報とを含んだ指令信号を送信可能なものであり、
表示装置は、前記指令信号を受信し、指令信号に基づいた表示が可能なものであり、
前記表示装置は、外面表示器と、内面表示器を有し、
前記外面表示器は、前記妻板の外面に位置し、
前記内面表示器は、前記妻板の内面に位置し、
前記外面表示器及び内面表示器は、それぞれ指令信号に基づいた表示が可能であり、
前記妻板は各遊技機群に対応して配される解除手段を有し、
前記解除手段は、解除信号を送信可能なものであり、
前記解除手段は、前記制御装置に解除信号を送信することによって、表示装置において表示された遊技機群及び／又は遊技機を選択的に消去可能なものであり、
前記外面表示器及び前記内面表示器は、一の前記遊技機群において１台の前記要求手段から要求信号が出された場合には、前記解除手段から前記解除信号が送信されることで、前記外面表示器及び前記内面表示器の表示が消去されるものであり、
さらに前記外面表示器及び前記内面表示器は、一の前記遊技機群において２台以上の前記要求手段から要求信号が出された場合には、前記解除手段から前記解除信号が送信されることで、前記外面表示器の表示が消去され、その後に前記要求信号を送信した前記要求手段が操作されることで、一の前記遊技機群に対応する前記内面表示器の表示が消去されるものであることを特徴とする呼出装置。
【請求項２】
前記表示装置は、各遊技機群に対応して配されるコーナーランプを有し、
前記コーナーランプは、前記妻板の外面の端部に設けられ、指令信号に基づいて点灯可能であることを特徴とする請求項１に記載の呼出装置。
【請求項３】
前記制御装置は、ＣＰＵと、ＲＯＭと、ＲＡＭとを有しており、
前記ＣＰＵと、ＲＯＭと、ＲＡＭとは、マイクロコントローラに内蔵されていることを特徴とする請求項１又は２に記載の呼出装置。
【発明の詳細な説明】
【技術分野】
【０００１】
本発明は呼出装置に関し、さらに詳細には、複数の遊技機を備えた各遊技機群に設置される呼出装置に関する。
【背景技術】
【０００２】
一般的に、遊技場は、パチンコ機やスロット機等の遊技機が群をなして設置された遊技島が、複数設置されて形成されている。そして、遊技島においては、各遊技機に対応する位置に設けられた呼出ランプと、その呼出ランプと連動するコーナーランプとで構成された呼出装置が１台ずつ設置されている。
この呼出装置は、例えば、パチンコ機の遊技中に盤面上で球詰まりが発生した場合等に、呼出ランプを遊技者が自ら操作することで、ランプを点灯させてホールスタッフ（係員）を呼びつけたり、大当たりが当選した際には遊技機からの信号を受信して連動するようにランプを点灯させて、ホールスタッフに報知することができる装置である。例えば、呼出ランプの技術は、特許文献１に開示されている。
【先行技術文献】
【特許文献】
【０００３】
【特許文献１】特開２００７−６１１７６号公報
【発明の概要】
【発明が解決しようとする課題】
【０００４】
ところで、最近の遊技場では、従来に比べ、既存の遊技機を新たな遊技機に入れ替えるいわゆる「新台入れ替え」の機会が増えており、遊技機１台当たりの回収利益が低減する傾向にある。そのため、遊技場においては経費削減が強いられ、特に人件費の削減が実施されることが多い。これにより、１人のホールスタッフが複数の遊技島を担当することとなり、複数の遊技者から呼び出される場合においては、迅速に対向しきれない事態が発生し得る。
【０００５】
また、このような状況を別の角度から見ると、未処理の呼び出し数が増加するため、従来技術の装置では、対応すべき優先順位まで把握することは不可能であり、対応する順番が入れ替わってしまうことで遊技者の気分を著しく損ねてしまうことがあった。これにより、遊技者のリピート率が低下することで、遊技場における売り上げが著しく減少し、結果的に遊技者へのサービスの低下を免れることができない。
【０００６】
上記した現状に鑑み、本発明は、遊技者へのサービスの向上が可能な呼出装置の提供を目的とする。
【課題を解決するための手段】
【０００７】
上記課題を解決するための請求項１に記載の発明は、１又は複数の遊技機を備えた各遊技機群にそれぞれ設置される呼出装置において、前記遊技機群は、複数の遊技機が並設されて列をなしており、前記遊技機群の列方向の端部において、当該列方向にほぼ直交するように配された妻板を有し、要求手段と、制御装置と、表示装置とを有し、要求手段は、各遊技機に対応する位置に設けられ、要求信号を送信可能なものであり、制御装置は、各要求手段からの要求信号を受信し、当該要求信号に基づいて、少なくとも遊技機群及び／又は遊技機を特定可能な情報と、要求された順位の情報とを含んだ指令信号を送信可能なものであり、表示装置は、前記指令信号を受信し、指令信号に基づいた表示が可能なものであり、前記表示装置は、外面表示器と、内面表示器を有し、前記外面表示器は、前記妻板の外面に位置し、前記内面表示器は、前記妻板の内面に位置し、前記外面表示器及び内面表示器は、それぞれ指令信号に基づいた表示が可能であり、前記妻板は各遊技機群に対応して配される解除手段を有し、前記解除手段は、解除信号を送信可能なものであり、前記解除手段は、前記制御装置に解除信号を送信することによって、表示装置において表示された遊技機群及び／又は遊技機を選択的に消去可能なものであり、前記外面表示器及び前記内面表示器は、一の前記遊技機群において１台の前記要求手段から要求信号が出された場合には、前記解除手段から前記解除信号が送信されることで、前記外面表示器及び前記内面表示器の表示が消去されるものであり、さらに前記外面表示器及び前記内面表示器は、一の前記遊技機群において２台以上の前記要求手段から要求信号が出された場合には、前記解除手段から前記解除信号が送信されることで、前記外面表示器の表示が消去され、その後に前記要求信号を送信した前記要求手段が操作されることで、一の前記遊技機群に対応する前記内面表示器の表示が消去されるものであることを特徴とする呼出装置である。
すなわち、請求項１に記載の発明は、１又は複数の遊技機を備えた各遊技機群にそれぞれ設置される呼出装置において、要求手段と、制御装置と、表示装置とを有し、要求手段は、各遊技機に対応する位置に設けられ、要求信号を送信可能なものであり、制御装置は、各要求手段からの要求信号を受信し、当該要求信号に基づいて、少なくとも遊技機群及び／又は遊技機を特定可能な情報と、要求された順位の情報とを含んだ指令信号を送信可能なものであり、表示装置は、前記指令信号を受信し、指令信号に基づいた表示が可能なものであることを特徴とする。
【０００８】
本発明で採用する「制御装置」は、当該要求信号に基づいて、少なくとも遊技機群及び／又は遊技機を特定可能な情報と、要求された順位の情報とを含んだ指令信号を送信できる。つまり、複数の要求信号に優先順位をつけることで、係員が対応する順番が入れ替わってしまう等のトラブルの発生を防止できる。
また、表示装置は、指令信号に基づいた表示ができる。つまり、係員は、表示装置を見ることで、優先順位がつけられた「遊技機群」及び／又は「遊技機」を正確に知って対応することができる。その結果、遊技者の気分を損ねることを抑制できる。
【０００９】
請求項２に記載の発明は、前記表示装置は、各遊技機群に対応して配されるコーナーランプを有し、前記コーナーランプは、前記妻板の外面の端部に設けられ、指令信号に基づいて点灯可能であることを特徴とする請求項１に記載の呼出装置である。
また本発明は、各遊技機群に対応して配される解除手段を有し、前記解除手段は、解除信号を送信可能なものであり、前記解除手段は、前記制御装置に解除信号を送信することによって、表示装置において表示された遊技機群及び／又は遊技機を選択的に消去可能なものであることを特徴とする。
すなわち、本発明は、解除手段を有し、解除手段は、表示装置において表示された遊技機群及び／又は遊技機を選択的に消去可能なものであることを特徴とする。
【００１０】
複数の遊技機群及び／又は遊技機が表示装置に表示されている場合、優先順位の高い遊技者に複数の係員が集中し、他の遊技者がないがしろにされてしまう場合がある。
本発明で採用する「解除手段」は、表示装置において表示された遊技機群及び／又は遊技機を選択的に消去できる。つまり、表示装置を確認した係員が、対応可能と判断したな遊技機群及び／又は遊技機を表示装置から消去する。
【００１１】
その結果、他の係員は、表示装置に表示されていた遊技機群及び／又は遊技機が消えたことを確認することで、要求信号を出した遊技者の元に行く必要がないと判断できる。すなわち、結果的に、その他の係員が別の要求に応じることができるため、遊技場のサービス向上を図ることができる。
【００１２】
請求項３に記載の発明は、前記制御装置は、ＣＰＵと、ＲＯＭと、ＲＡＭとを有しており、前記ＣＰＵと、ＲＯＭと、ＲＡＭとは、マイクロコントローラに内蔵されていることを特徴とする請求項１又は２に記載の呼出装置である。
すなわち、請求項３に記載の発明は、前記制御装置は、ＣＰＵと、ＲＯＭと、ＲＡＭとを有していることを特徴とする。
【００１３】
本発明で採用する「制御装置」は、ＣＰＵと、ＲＯＭと、ＲＡＭとを有している。ＣＰＵはプログラムの実行や演算等が可能であり、ＲＯＭはプログラムの保存等が可能であり、ＲＡＭは複数の要求信号の記憶や受信時間の記憶等が可能である。すなわち、ＣＰＵ等を備えた制御装置は、受信した要求信号を指令信号に変換する処理や、複数の要求信号に優先順位をつける処理等を高速且つ正確に行うことができる。
【００１４】
また、請求項３に記載の発明は、前記ＣＰＵと、ＲＯＭと、ＲＡＭとは、マイクロコントローラに内蔵されていることを特徴とする。
【００１５】
本発明で採用する「マイクロコントローラ」は、ＣＰＵと、ＲＯＭと、ＲＡＭとを内蔵している。すなわち、マイクロコントローラは、１つのパッケージで構成されたＩＣである。例えば、マイクロコントローラを表示装置の一部として組み込むことで、呼出装置の小型化も可能である。
【発明の効果】
【００１６】
本発明の呼出装置によれば、遊技者へのサービスの向上が可能である。
【図面の簡単な説明】
【００１７】
【図１】本発明の実施形態に係る呼出装置を備えた遊技島が複数設置された遊技場を示す斜視図である。
【図２】図１の遊技場を示す平面図である。
【図３】各遊技島に設けられた呼出装置を示すブロック図である。
【図４】本発明の実施形態に係る呼出装置を示すブロック図である。
【図５】妻板を示す正面図であり、（ａ）は内面（表面）であり、（ｂ）は（ａ）の反対の外面（裏面）である。
【図６】１箇所の遊技島の１台の要求装置から要求信号が出された場合の、呼出装置の動作状態を示す説明図であり、（ａ）は要求信号が発生し表示ランプが点灯した状態、（ｂ）は外面表示器と内面表示器とコーナーランプが点灯した状態、（ｃ）は要求信号が解除され外面表示器と内面表示器とコーナーランプが消灯した状態、（ｄ）は表示ランプが消灯した状態である。
【図７】２箇所の遊技島においてそれぞれ１台の要求装置から要求信号が出された場合の、呼出装置の動作状態を示す説明図であり、（ａ）は外面表示器と内面表示器に２つの遊技機群が表示された状態、（ｂ）は（ａ）の状態から１つの遊技機群が削除された状態、（ｃ）は（ｂ）の状態から残り１つの遊技機群が削除された状態、（ｄ）は残りの表示ランプが消灯した状態である。
【図８】１箇所の遊技島において２台の要求装置から要求信号が出された場合の、呼出装置の動作状態を示す説明図であり、（ａ）は外面表示器と内面表示器に１つの遊技機群が表示された状態、（ｂ）は１つの内面表示器に遊技機群が表示された状態、（ｃ）は１つの表示ランプが消灯した状態、（ｄ）は残りの表示ランプと１つの内面表示器が消灯した状態である。
【図９】外面表示器の表示状態を示す正面図であり、（ａ）は遊技機群Ａ〜Ｆが全表示された状態、（ｂ）は（ａ）の中で所定の時間が経過した遊技機群Ａのみが表示された状態である。
【図１０】本発明の別の実施形態に係る呼出装置を示す正面図であり、（ａ）は外面表示器、（ｂ）は内面表示器を示す。
【図１１】解除装置として送信装置を用いた例を示す正面図である。
【発明を実施するための形態】
【００１８】
以下、本発明の実施形態に係る呼出装置について、図面を参照しながら詳細に説明する。なお、以下の説明は、実施形態の理解を容易にするためのものであり、これによって、本発明が制限して理解されるべきではない。
【００１９】
図１に示す遊技場２０には、３つの遊技島２が並列に設置されている。
遊技島２は、図１に示すように、従来より公知のパチンコ機（遊技機）５が複数設置された群である。具体的には、本実施形態においては、各遊技島２は、６台の遊技機５が並設された列を２列ずつ備えた構成とされている。
なお、以下の説明においては、理解を容易にするため、複数の遊技機５の列を図２に示す上側の列から順番に、遊技機群Ａ〜Ｆと称している。
【００２０】
また、遊技島２は、内部構造を目隠しするように、外壁として化粧板６０等が設けられている。化粧板６０は、遊技機５が設置された位置を除く箇所に設けられており、図１に示すように、遊技場２０の天井側に配された天板６１と、遊技機５が列状に並べられた壁面側に配された幕板６２、ランプ板６３、腰板６４、幅木６５と、遊技機５の列方向の端部において、列方向にほぼ直交するように配された妻板７である。
【００２１】
妻板７は遊技島２を構成する外壁であり、１つの遊技島２において、妻板７同士が向き合う面が内面３（表面）であり、その内面３の反対の面が外面４（裏面）である。妻板７は、図２に示すように、張出部７０を有している。張出部７０は、遊技機５が位置する縁端側に張り出している。
そして、図１に示すように、各遊技島２においては、ホールスタッフ（係員）を呼び出す呼出機能や、遊技機５の大当たり当選を演出する大当たり演出機能等を備えた呼出装置１が設置されている。
【００２２】
本実施形態では、呼出装置１は、ランプ板６３に取り付けられ要求信号を発信可能な要求装置６と、天板６１に取り付けられ要求装置６からの要求信号を受信して表示装置１２等を制御可能な制御装置１５と、妻板７に取り付けられ制御装置１５からの指令信号を受信して情報を表示する表示装置１２と、表示装置１２に表示された情報を削除可能な解除装置１６，１７とを備えている。すなわち、要求装置６と、表示装置１２と、制御装置１５と、解除装置１６，１７とは、図３に示すように、電気的に接続されている。そして、本実施形態では、各遊技島２に設置された呼出装置１同士は、制御装置１５によって電気的に接続されている。
なお、要求装置６は、図２に示すように、遊技機５と同じく、遊技島２の長手方向に延びる面に６台ずつ設けられている。遊技機群Ａ，Ｃ，Ｅにはそれぞれ要求装置６ａ〜６ｆが位置し、遊技機群Ｂ，Ｄ，Ｆにはそれぞれ要求装置６ｇ〜６ｌが位置している。
【００２３】
表示装置１２は、図４に示すように、外面表示器８と、内面表示器９，１０と、コーナーランプ１８，１９を備えている。
内面表示器９，１０は、図５（ａ）に示すように、妻板７の内面３（表面）に位置している。詳述すると、内面表示器９，１０は、遊技島２よりはみ出した張出部７０にそれぞれ位置している。換言すれば、遊技島２を挟んで内面表示器９，１０が対向配置されている。
一方、外面表示器８とコーナーランプ１８，１９は、妻板７の外面４（裏面）に位置している。詳述すると、妻板７の外面４の略中央に外面表示器８が位置し、その左右にコーナーランプ１８，１９がそれぞれ位置している。
【００２４】
外面表示器８と、内面表示器９，１０は、文字や画像、映像等を表示可能な表示装置であり、ドットマトリクスＬＥＤや液晶表示器、タッチパネル表示器等で構成されることが好ましい。或いは、７セグメントＬＥＤで構成しても構わない。
外面表示器８は、図５（ｂ）に示すように、四角形状であり、遊技機群Ａ〜Ｆの数に合わせて、表示画面が３行２列に区切られている。そのため、外面表示器８は、遊技機群Ａ〜Ｆを表示させる指令信号が入力されると、受信した指令信号に基づいて、上の列の左端から順番に詰めて表示する。外面表示器８の上の列に表示できなかった指令信号は、下の列の左端から順番に詰めて表示される。つまり、外面表示器８は、上の列と下の列と合わせて、６つの指令信号を到着した順番に表示可能である。すなわち、６つの指令信号には優先順位がつけられる。
内面表示器９，１０は、図５（ａ）に示すように、長方形状であり、遊技機群Ａ〜Ｆの数に合わせて、表示画面が１行６列に区切られている。そのため、内面表示器９，１０は、受信した指令信号に基づいて、上から順番に詰めて表示する。つまり、内面表示器９，１０は、６つの指令信号を到着した順番に表示可能である。すなわち、６つの指令信号には優先順位がつけられる。
【００２５】
コーナーランプ１８，１９は、複数の色の表示ランプを縦に積層した複合ランプであり、回転灯等を組み込んでも構わない。
また、コーナーランプ１８，１９の下側には、解除装置１６，１７（解除手段）が設けられている。解除装置１６，１７は、解除信号を送信可能なものであり、非接触式の磁気リーダー２８で構成されている。磁気リーダー２８は公知の磁気読取装置であり、後述するＩＣカード２７を近接させることで、解除信号を送信可能なものである。
なお、解除装置１６，１７は、それぞれ遊技機群Ａ，Ｂ（Ｃ，Ｄ及びＥ，Ｆ）に対応して設けられている。
【００２６】
要求装置６は、図４に示すように、要求ボタン１３（要求手段）と、表示ランプ１４とを有している。要求ボタン１３は、従来公知の押しボタンスイッチであり、要求信号を送信可能なものである。要求ボタン１３は自己保持可能であり、１度押すとＯＮ状態を保持し、もう１度押すとＯＦＦ状態となる。つまり、要求ボタン１３がＯＮの間、要求信号は出され続ける。なお、表示ランプ１４は、複数の色を表示可能なランプであることが好ましい。
【００２７】
制御装置１５は、要求ボタン１３から出された要求信号に基づいて、表示ランプ１４や表示装置１２をコントロールするためのものである。
制御装置１５は、Ｉ／Ｏ回路２１，２２と、マイクロコントローラ２３と、通信回路２４とを有している。
【００２８】
マイクロコントローラ２３は、従来公知のＣＰＵ３５と、ＲＯＭ（フラッシュメモリ等）３６と、ＲＡＭ３７と、複数の入出力ポートと、内部バス等を備えた集積回路である。マイクロコントローラ２３は、プログラム等を保存可能であって、プログラムに基づいて周辺装置を制御可能である。マイクロコントローラ２３にはプログラムが内蔵されており、各要求装置６から出された要求信号を受けると、どの遊技機群Ａ〜Ｆから出された信号かを判断し、該当する遊技機群Ａ〜Ｆを表示させる指令信号に変換して、表示装置１２に送信する。なお、受信した要求信号は、マイクロコントローラ２３に到着した順番に記憶されて、その順番を保ったまま、指令信号に変換される。
【００２９】
Ｉ／Ｏ回路２１は、要求装置６とマイクロコントローラ２３との間で、インピーダンスの変換やＡ／Ｄ変換、信号の伝達等を行うためのインターフェース回路である。Ｉ／Ｏ回路２１は、表示ランプ１４を駆動可能なドライバ回路等を含んでいる。
Ｉ／Ｏ回路２２は、マイクロコントローラ２３と表示装置１２及び解除装置１６との間で、インピーダンスの変換やＡ／Ｄ変換、信号の伝達等を行うためのインターフェース回路である。Ｉ／Ｏ回路２２は、表示装置１２を駆動可能なドライバ回路等を含んでいる。
【００３０】
通信回路２４は、他の制御装置１５と信号の送受信が可能な回路である。図３に示すように、各遊技島２に設置された呼出装置１は、制御装置１５同士で接続されており、相互に信号の送受信が可能である。つまり、制御装置１５は、他の遊技島２に設置された制御装置１５に対し、通信回路２４を通じて遊技機群Ａ〜Ｆを表示させる指令信号を送信可能である。
【００３１】
つぎに、本発明の実施形態に係る呼出装置１の動作状態について説明する。
まず、１箇所の遊技島２の１台の要求装置６から要求信号が出された場合について、図６（ａ）〜（ｄ）を用いて説明する。なお、図６（ａ）〜（ｄ）においては、外面表示器８と略同じ動作を行う内面表示器９，１０の図示を省略している。
【００３２】
図６（ａ）において、要求者３１が、遊技機群Ａに位置する要求装置６ａから呼出ボタン１３を押したことによって、要求信号が発生する。発生した要求信号は、制御装置１５に到達する。その結果、制御装置１５より、表示ランプ１４を点灯させる指令信号が送信され、表示ランプ１４が点灯する。さらに、制御装置１５より、遊技機群Ａを表示させる指令信号が表示装置１２に送信される。
【００３３】
図６（ｂ）において、指令信号に基づいて遊技機群Ａに対応するコーナーランプ１８が点灯し、各妻板７に設けられた外面表示器８及び内面表示器９，１０に「Ａ」が表示される。その結果、遊技場２０内にいる係員に遊技機群Ａから要求信号が出されたことが報知される。
【００３４】
図６（ｃ）において、遊技機群Ａに対応する解除装置１６（磁気リーダー２８）に係員４１がＩＣカード２７を近づける。ＩＣカード２７は、ワンチップマイコンが内蔵された解除信号を発生可能なものである。すると、解除装置１６から解除信号が制御装置１５に送信され、制御装置１５から出ていた遊技機群Ａを表示させる指令信号が消去される。その結果、遊技機群Ａに対応するコーナーランプ１８が消灯し、外面表示器８及び内面表示器９，１０に表示されていた「Ａ」が消灯する。
【００３５】
図６（ｄ）において、係員４１が、遊技機群Ａに位置する要求装置６ａに駆け付け、呼出ボタン１３を押すことによって、要求信号が消去される。その結果、制御装置１５からの、表示ランプ１４を点灯させる指令信号が消去され、表示ランプ１４が消灯する。
以上が１箇所の遊技島２の１台の要求装置６から要求信号が出された場合の、呼出装置１の動作状態である。
【００３６】
つぎに、２箇所の遊技島２においてそれぞれ１台の要求装置６から要求信号が出された場合について、図７（ａ）〜（ｄ）を用いて説明する。図７（ａ）〜（ｄ）の説明においては、図６（ａ）〜（ｄ）で説明した動作内容と略同一のものは省略する。なお、図７（ａ）〜（ｄ）においても、外面表示器８と略同じ動作を行う内面表示器９，１０の図示を省略している。
【００３７】
図７（ａ）において、遊技機群Ｂに位置する要求装置６ｈと、遊技機群Ｆに位置する要求装置６ｋの表示ランプ１４が点灯している。この時、遊技機群Ｂに対応するコーナーランプ１９と、遊技機群Ｆに対応するコーナーランプ１９とが点灯し、各妻板７に設けられた外面表示器８には、上の列の左端から順番に「Ｂ」と「Ｆ」が詰めて表示されている。これは、遊技機群Ｂからの要求信号が先で、その次に遊技機群Ｆから要求信号が出されたことを示すものである。なお、内面表示器９，１０についても同様である。
【００３８】
図７（ｂ）において、遊技機群Ｆに対応する解除装置１７（磁気リーダー２８）に係員４２がＩＣカード２７を近づけることにより、遊技機群Ｆに対応するコーナーランプ１９が消灯し、外面表示器８及び内面表示器９，１０に表示されていた「Ｆ」が消灯する。
【００３９】
図７（ｃ）において、係員４２が、遊技機群Ｆに位置する要求装置６ｋに駆け付け、呼出ボタン１３を押すことによって、表示ランプ１４が消灯する。
一方、遊技機群Ｂに対応する解除装置１７（磁気リーダー２８）に係員４３がＩＣカード２７を近づけることにより、遊技機群Ｂに対応するコーナーランプ１９が消灯し、外面表示器８及び内面表示器９，１０に表示されていた「Ｂ」が消灯する。
【００４０】
図７（ｄ）において、係員４３が、遊技機群Ｂに位置する要求装置６ｈに駆け付け、呼出ボタン１３を押すことによって、表示ランプ１４が消灯する。
以上が２箇所の遊技島２において要求装置６からそれぞれ１台ずつ要求信号が出された場合の、呼出装置１の動作状態である。なお、３箇所の遊技島２の要求装置６から要求信号が出された場合も同様であるので説明を省略する。
【００４１】
さらに、１箇所の遊技島２において２台の要求装置６から要求信号が出された場合について、図８（ａ）〜（ｄ）を用いて説明する。図８（ａ）〜（ｄ）の説明においては、図６（ａ）〜（ｄ）又は図７（ａ）〜（ｄ）で説明した動作内容と略同一のものは省略する。
【００４２】
図８（ａ）において、遊技機群Ｂに位置する要求装置６ｇ，６ｊの表示ランプ１４が点灯している。この時、遊技機群Ｂに対応するコーナーランプ１９が点灯し、各妻板７に設けられた外面表示器８には、上の列の左端に「Ｂ」が表示されている。なお、内面表示器９，１０についても同様である。
【００４３】
図８（ｂ）において、遊技機群Ｂに対応する解除装置１７（磁気リーダー２８）に係員４１がＩＣカード２７を近づけることにより、遊技機群Ｂに対応するコーナーランプ１９が消灯し、外面表示器８及び内面表示器９に表示されていた「Ｂ」が消灯する。内面表示器１０については、遊技機群Ｂに対応する内面表示器１０のみが「Ｂ」を点灯したままとなり、それ以外の内面表示器１０は消灯する。
【００４４】
図８（ｃ）において、係員４１が、遊技機群Ｂに位置する要求装置６ｊに駆け付け、呼出ボタン１３を押すことによって、表示ランプ１４が消灯する。この時、遊技機群Ｂに対応する内面表示器１０は、依然「Ｂ」を点灯したままである。
【００４５】
図８（ｄ）において、係員４１が、遊技機群Ｂに位置する要求装置６ｇに駆け付け、呼出ボタン１３を押すことによって、表示ランプ１４が消灯し、遊技機群Ｂに対応する内面表示器１０に表示されていた「Ｂ」も併せて消灯する。
以上が１箇所の遊技島２において２台の要求装置６から要求信号が出された場合の、呼出装置１の動作状態である。なお、１箇所の遊技島２において２台以上の要求装置６から要求信号が出された場合も同様であるので説明を省略する。
【００４６】
前述のように、本発明の呼出装置１によれば、要求者３１等から要求信号が出された場合に、各遊技島２に設けられた外面表示器８及び内面表示器９，１０に、遊技機群Ａ〜Ｆを示す記号が、優先順位をつけて表示される。このことにより、どの順番で、どの遊技機群Ａ〜Ｆに要求者３１がいるかを、すぐに把握できる。そして、応対可能な係員４１等が、該当する遊技機群Ａ〜Ｆに対応する解除装置１６又は１７で解除信号を送信することで、外面表示器８及び内面表示器９，１０に表示されていた遊技機群を消去できる。すなわち、要求者３１に対して、応対可能な係員４１が向かったことを、遊技機群が消えたことで把握できる。その結果、他の係員が要求者３１の元に駆け付ける等の無駄な動きが生じない。
【００４７】
上記した実施形態では、外面表示器８及び内面表示器９，１０に遊技機群Ａ〜Ｆを表示させる例を示したが、本発明はこれに限定されるものではない。図９（ａ）に示すように、外面表示器８が通常表示をしている状態において、要求信号が出されてから所定の時間が経過すると、図９（ｂ）に示すように、該当する遊技機群のみを表示させても構わない。つまり、係員は、この表示を見ることにより、遊技機群Ａにいる要求者が非常に待たされていることを把握できる。
【００４８】
つぎに、本発明の別の実施形態に係る呼出装置１０１について説明する。呼出装置１０１は、呼出装置１と略同じ構成を有しており、図１０（ａ），（ｂ）以外の図示を省略する。
呼出装置１０１が有する表示装置１２は、外面表示器８及び内面表示器９，１０の替わりに、図１０（ａ），（ｂ）に示す外面表示器８０及び内面表示器９０，１００を備えている。
外面表示器８０及び内面表示器９０，１００は、文字や画像、映像等を表示可能な表示装置であり、液晶表示器で構成されている。すなわち、外面表示器８０及び内面表示器９０，１００は、入力される信号をそのまま表示可能な装置である。
【００４９】
外面表示器８０及び内面表示器９０，１００には、「遊技機群」を示す記号と「遊技機番台」を示す記号とが１組となって、１番から８番まで表示されている。
「遊技機群」を示す記号は図２に示した通りである。「遊技機番台」を示す記号については、図２に示した通り、各遊技機に一対で設けられている要求装置６ａ〜６ｆを「１番台」〜「６番台」として表現する。要求装置６ｇ〜６ｌについても同様に「１番台」〜「６番台」として表現する。例えば、図１０（ａ），（ｂ）に示したように、外面表示器８０及び内面表示器９０，１００のそれぞれの１番目に表示された「Ａ−３番台」とは、「遊技機群Ａ」における「遊技機３番台」（要求装置６ｃ）から要求信号が出されたことを意味する。
【００５０】
また、１番から８番まで割り振られた「番号」については、要求信号が出された順番を示すものである。つまり、複数の要求信号に対して、制御装置１５に到着した順番で優先順位をつけたものである。なお、表示させる番号の数ついては、任意に設定可能である。例えば、１番から２０番まで表示させる等しても構わない。
【００５１】
このような動作を外面表示器８０及び内面表示器９０，１００にさせるため、呼出装置１０１においては、制御装置１５が備えるマイクロコントローラ２３にプログラムが内蔵されている。このプログラムでは、遊技機群Ａ〜Ｆの各要求装置６ａ〜６ｌから出された要求信号を制御装置１５が受けると、どの遊技機群Ａ〜Ｆのどの要求装置６ａ〜６ｌから出された信号かを判断し、制御装置１５に到着した順番で優先順位をつけて記憶する。そして、該当する「番号」と、「遊技機群Ａ〜Ｆ」と、「１番台」〜「６番台」で示す「遊技機番台」を表示させる指令信号に変換して、表示装置１２に送信する。
なお、呼出装置１０１において、外面表示器８０及び内面表示器９０，１００に表示された「遊技機群」と「遊技機番台」は、呼出装置１と同様に、解除装置（解除手段）１６，１７を用いて、係員が消去できる。
【００５２】
上記した実施形態では、解除装置（解除手段）１６，１７として、ＩＣカード２７と磁気リーダー２８とを用いる例を示したが、本発明はこれに限定されるものではない。例えば、図１１に示すような送信装置５０を用いても構わない。送信装置５０は、表示画面５１と、番号ボタン５２と、決定ボタン５３とを備えたいわゆるリモコンである。係員は、番号ボタン５２より「遊技機群番号Ａ〜Ｆ」と「遊技機番台」を入力し、表示画面５１に表示された内容を確認して、決定ボタン５３を押す。すると、送信装置５０から電波となって送信される。この送信装置５０を用いることで、係員は対応可能と判断した瞬間に電波を送信することにより、磁気リーダー２８に到着するまでのタイムラグをなくすことができる。
なお、呼出装置１には、送信装置５０からの電波を受信可能なアンテナ等をつけていることとする。
【００５３】
上記した実施形態では、制御装置１５は遊技島２の天板６１に取り付けられる例を示したが、本発明はこれに限定されるものではない。例えば、制御装置１５を表示装置１２と一体化しても構わない。特に、制御装置１５は外面表示器８に組み込むことが好ましい。
【符号の説明】
【００５４】
１，１０１      呼出装置
５      遊技機
１２      表示装置
１３      呼出ボタン（要求手段）
１５      制御装置
１６，１７      解除装置（解除手段）
２３      マイクロコントローラ
３５      ＣＰＵ
３６      ＲＯＭ
３７      ＲＡＭ
Ａ〜Ｆ      遊技機群
【図１】
0005934466.tif 000002
【図２】
0005934466.tif 000003
【図３】
0005934466.tif 000004
【図４】
0005934466.tif 000005
【図５】
0005934466.tif 000006
【図６】
0005934466.tif 000007
【図７】
0005934466.tif 000008
【図８】
0005934466.tif 000009
【図９】
0005934466.tif 000010
【図１０】
0005934466.tif 000011
【図１１】
0005934466.tif 000012